(57)【要約】  本発明はチューブ型太陽熱温風器に関するもので、具体的には、透明または、半透明に形成されるチューブの内側に冷たい空気が流入できる所定区間の黒色の熱風管を形成し、前記熱風管で冷たい空気を太陽熱によって加熱させて外側に排出されるようにして、輻射暖房ができるようにするチューブ型太陽熱温風器に関するものである。本発明は、透明または半透明の材質で形成されるチューブ本体と、前記チューブ本体の内側部に貫通形成されるが、表面または、裏面が黒色に形成され、冷たい空気が流入されて太陽熱によって加熱されて外側に排出されるように熱風管が形成されることを特徴とする。【選択図】図１
2016524116.tif 000002
【特許請求の範囲】
【請求項１】
透明または半透明の材質で形成されるチューブ本体１０を温風器として構成するが、
前記チューブ本体１０の内側部に貫通形成されて表面または、裏面が黒色に形成され、冷たい空気が流入すると太陽熱によって加熱されて外側に排出されるようにする熱風管１１が形成されることを特徴とする、チューブ型太陽熱温風器。
【請求項２】
前記熱風管１１は、
冷たい空気が流入されて太陽熱によって加熱された熱い空気が外部に迅速に排出されるように、一側端部に結合される送風ファン２０をさらに含むことを特徴とする、請求項１に記載のチューブ型太陽熱温風器。
【請求項３】
前記チューブ本体１０は、
その後面に窓またはなめらかな表面に付着して固定できるように吸着板３０をさらに含むことを特徴とする、請求項１に記載のチューブ型太陽熱温風器。
【請求項４】
前記熱風管１１は、
直管形に形成されるが、二以上に形成されることを特徴とする、請求項１に記載のチューブ型太陽熱温風器。
【請求項５】
前記熱風管１１は、
千鳥状に形成され、一側面に空気の入口が下部に形成され、出口が上部に形成されることを特徴とする、請求項１に記載のチューブ型太陽熱温風器
【請求項６】
前記熱風管１１は、
前記吸着板３０の反対側に空気の入口および出口が形成されるが、空気の入口が下部に、出口が上部に形成されることを特徴とする、請求項１に記載のチューブ型太陽熱温風器。
【請求項７】
前記熱風管１１は、
前記空気の入口に吸気ファン４０が、空気の出口に送風ファン２０が結合されることを特徴とする、請求項５または請求項６に記載のチューブ型太陽熱温風器。
【発明の詳細な説明】
【技術分野】
【０００１】
本発明はチューブ型太陽熱温風器に関するもので、具体的には透明または、半透明に形成されるチューブの内側に冷たい空気が流入できる所定区間の黒色の熱風管を形成し、前記熱風管で冷たい空気を太陽熱によって加熱させて外側に排出されるようにして、輻射暖房ができるようにするチューブ型太陽熱温風器に関するものである。
【背景技術】
【０００２】
代替エネルギーの開発は未来エネルギー源の確保および環境保護レベルの環境親和型のエネルギー資源の開発と活用という側面と、ＧＲ、ＴＲ、ＷＨＯなど、国際環境関連条約に能動的に対処するためにその重要性が非常に増加しつつある。したがって代替エネルギー資源のうち無制限、無公害の太陽エネルギーの利用技術開発および実用化は非常に至急なものである。
【０００３】
現在、地球上の人類は解決しなければならない二つの問題に直面している。
【０００４】
その一つは、人類が使用している石油、石炭などの化石エネルギーの枯渇問題であり、二つ目は化石エネルギーの使用の増加による地球温暖化を防ぐための気候変動枠組条約の履行問題である。
【０００５】
人類が永遠に使えると思っていた化石エネルギーは、現在のような量で使い続けると、石油は４０年、石炭は２１０年、天然ガス６５年、ウラニウムは５０年後になると枯渇してしまうとされている。
【０００６】
このような難題の解決に、いわゆる、“未来エネルギー”または“グリーンエネルギー”と呼ばれる清浄代替エネルギーが脚光を浴びており、これに伴い、各国は代替エネルギーの開発と普及に莫大な投資をしている。
【０００７】
代替エネルギーとしては、太陽光、太陽熱、風力調節、地熱、燃料電池、水素エネルギー、廃棄物エネルギーなどが挙げられるが、本発明では太陽光と太陽熱を利用したものに焦点を合わせたい。
【０００８】
太陽は表面温度が６，０００℃で、中心部の温度は約１，５００万℃にも達しており、莫大な量の熱と光を噴出し、その量はおよそ９．２×１０２２ｋｃａｌにも達するが、地球は太陽から約１億５，０００万ＫＭも離れているので、地球に達する太陽輻射エネルギーの量（太陽定数）は約２ｃａｌに過ぎない。
【０００９】
このような太陽輻射エネルギーは我々の日常生活に必要なエネルギーの根源であるだけでなく、様々な気象現象や海における海流の原動力となる。その他太陽エネルギーを利用したものとしては、太陽電池をはじめ、太陽熱温風装置、太陽熱住宅、太陽炉、太陽熱発電機などの多様な装置が提案されている。
【００１０】
その中の太陽熱温風装置の場合、室外に設置され、黒色に形成されるベローズ管を千鳥状に配置し、前記ベローズ管に流入される空気を太陽熱によって加熱して室内に流入させるように構成される。
【００１１】
しかしながら、前記太陽熱温風装置の場合、製作工程が複雑で、集熱面積が大きくなければならないので体積が大きくなり、このため、空間の確保ができなければ設置し難いという問題点があった。
【００１２】
また、前記ベローズ管が室外に設置されているため、ベローズ管の内側の加熱された空気の熱が外側に放出されるのを遮蔽させることが難しく、効率的な暖房がなされないという問題点があった。
【００１３】
さらに、前記した太陽熱温風装置の場合、一般の一戸建て住宅のような住居施設にのみ局限して設置されているのが現状であり、アパートまたは、多世帯住宅は外部設置が困難であるため、事実上使用が不可能だという問題点もあった。
【００１４】
一方、前記した太陽熱温風装置の場合、暖房が不要な夏期にはメンテナンスおよび保管が難しいという問題点があった。
【発明の概要】
【発明が解決しようとする課題】
【００１５】
本発明は前記した問題点を解決するために発明されたもので、その目的は透明または、半透明に形成されるチューブの内側に冷たい空気が流入できる所定区間の黒色の熱風管を形成し、前記熱風管で冷たい空気を太陽熱によって加熱させて外側に排出されるようにして、輻射暖房ができるようにするチューブ型太陽熱温風器を提供することにその目的がある。
【課題を解決するための手段】
【００１６】
前記した技術的課題を達成するための本発明は、透明または半透明の材質で形成されるチューブ本体を温風器として構成するが、前記チューブ本体の内側部に貫通形成されて表面または、裏面が黒色に形成され、冷たい空気が流入されると太陽熱によって加熱して外側に排出されるようにする熱風管が形成されることを特徴とする。
【発明の効果】
【００１７】
本発明のチューブ型太陽熱温風器によれば、第一に、比較的軽い材質で形成されるので室内での使用が可能となり、特にアパートのような多世帯住宅でも窓に付着して容易に使用することができるので、エネルギーの節減が可能となり、これによって経済性が高まる効果がある。
【００１８】
第二に、夏期のような未使用時にはチューブの空気を抜いた後、畳んで保管することができるので、夏期のような温風器未使用期間には保管および移動が容易であるという効果がある。
【００１９】
第三に、設置および撤去が容易であるため、住宅だけでなく、一般の事務室、食堂などの多様な場所に適用することができ、使用性が増大する効果がある。
【図面の簡単な説明】
【００２０】
【図１】本発明のチューブ型太陽熱温風器の様子を示した斜視図である。
【図２】図１の背面斜視図である。
【図３】図１の第１変形例を示した斜視図である。
【図４】図３の背面斜視図である。
【図５】図１の第２変形例を示した斜視図である。
【図６】図５の背面斜視図である。
【発明を実施するための形態】
【００２１】
前記した技術的課題を達成するための本発明は、透明または半透明の材質で形成されるチューブ本体を温風器として構成するが、前記チューブ本体の内側部に貫通形成されて表面または、裏面が黒色に形成され、冷たい空気が流入されると太陽熱によって加熱して外側に排出されるようにする熱風管が形成されることを特徴とする。
【００２２】
一実施例において、前記熱風管は、冷たい空気が流入されて太陽熱によって加熱された熱い空気が外部へ迅速に排出されるように、一側端部に結合される送風ファンをさらに含む。
【００２３】
一実施例において、前記チューブ本体は、その後面に窓またはなめらかな表面に付着して固定できるように吸着板をさらに含む。
【００２４】
一実施例において、前記熱風管は、直管形で形成されるが、二以上に形成されることを特徴とする。
【００２５】
一実施例において、前記熱風管は、千鳥状に形成されて、一側面の下部に空気の入口が形成され、その上部に出口が形成されることを特徴とする。
【００２６】
一実施例において、前記熱風管は、前記吸着板の反対側に空気の入口および出口が形成されるが、空気の入口が下部に、出口が上部に形成されることを特徴とする。
【００２７】
一実施例において、前記熱風管は、前記空気の入口に吸気ファンが、空気の出口に送風ファンが結合されることを特徴とする。
【００２８】
本発明を十分に理解するために本発明の好ましい実施例を添付図面を参照して説明する。本発明の実施例は多様な形態に変形することができ、本発明の範囲は以下の実施例に限定されるものではないと解釈されるべきである。本実施例は、当業界で平均的な知識を有した者に本発明をより完全に説明するために提供されるものである。したがって図面における要素の形状などはより明確な説明を強調するために誇張して表現されることもある。各図面において、同一部材は同一の参照符号で図示した場合があることに留意されたい。また、本発明の要旨を不要に曖昧にし得ると判断される公知の機能および構成に対する詳細な記述は省略する。
【００２９】
以下、添付された図面を参照して本発明の好ましい実施例を説明することによって、本発明のチューブ型太陽熱温風器を詳細に説明する。
【００３０】
図１は、本発明のチューブ型太陽熱温風器の様子を示した斜視図で、図２は図１の背面斜視図である。
【００３１】
図１および図２を参照すれば、本発明のチューブ型太陽熱温風器は、透明または半透明の材質で形成されるチューブ本体１０が形成される。前記チューブ本体１０は太陽光が透過できるように透明または、半透明の合成樹脂材で形成されることが好ましく、一側には空気を注入するための注入口１２が形成される。図面には長方形に形成されているが多様なデザインで製作することも可能である。
【００３２】
一方、前記チューブ本体１０の内側部には熱風管１１が貫通形成されるが、前記熱風管１１は、チューブ本体１０と一体に形成され、表面または、裏面が黒色に形成される。これは太陽光の吸収を容易にするためである。
【００３３】
一方、前記熱風管１１は、図１および図２に図示された通り、前記熱風管１１は、直管形に形成されるものの、二以上に形成され得る。前記熱風管１１の数はチューブ本体１０の大きさにより比例して形成することができる。
【００３４】
また、前記チューブ本体１０は、その後面に窓またはなめらかな表面に付着して固定できるようにする吸着板３０がさらに具備され得る。したがって前記吸着板３０を利用して室内のガラス窓に付着させた後、太陽熱による輻射暖房がなされるようにするためである。
【００３５】
一方、前記熱風管１１は、冷たい空気が流入されて太陽熱によって加熱された熱い空気が外部に迅速に排出されるように、一側端部に結合される送風ファン２０がさらに具備され得る。したがって前記熱風管１１を通じて加熱された空気が外側に容易に排出されて暖房がなされるようになる。
【００３６】
図面には前記送風ファン２０が熱風管１１の一側端に結合したものとして図示されているが、ガラス窓から室内が遠い場合、熱風管１１に別途の管を連結して室内に熱い空気が流入されるようにすることもできる。
【００３７】
以下、本発明のチューブ型太陽熱温風器の第１変形例に対して詳察することにする。
【００３８】
図３は図１の第１変形例を示した斜視図で、図４は図３の背面斜視図である。
【００３９】
図３および図４を参照すれば、本発明のチューブ型太陽熱温風器の第１変形例は、前記した図１および図２に図示された実施例とその構成がほとんど同一である。
【００４０】
ただ、熱風管１１の形状だけが千鳥状に形成される。また、空気の入口および出口はチューブ本体１０の側面に形成されるが、空気の入口は下部に形成され、出口は上部に形成されるのが好ましい。これは対流現象によって、冷たい空気の場合、下に位置するので、冷たい空気が加熱されながら熱風管１１に沿って上部に移動するように構成したものである。
【００４１】
したがって送風ファン２０の場合は、熱風管１１の上部端部に結合されることが好ましく、一方、前記熱風管１１の下部に形成される空気の入口には吸気ファン４０をさらに装着して円滑な空気の流れを誘導することもできる。
【００４２】
以下、本発明のチューブ型太陽熱温風器の第２変形例に対して詳察することにする。
【００４３】
図５は、図１の第２変形例を示した斜視図で、図６は図５の背面斜視図である。
【００４４】
図５および図６を参照すれば、本発明のチューブ型太陽熱温風器の第２変形例は、前記した図１および図２に図示された実施例とその構成がほとんど同一である。
【００４５】
ただ、熱風管１１が、空気の入口が下部に、空気の出口が上部に形成されるように構成して、前記吸着板３０の反対側に空気の入口および空気の出口が位置されるように構成するものである。
【００４６】
この時、送風ファン２０の場合は熱風管１１の上部に結合されるのが好ましい。
【００４７】
これは対流現象によって、冷たい空気の場合、下に位置するので、冷たい空気が加熱されながら熱風管１１に沿って上部に移動するように構成したのである。
【００４８】
一方、円滑な空気の流れを誘導するために前記空気の入口に吸気ファン４０をさらに装着して使うこともできる。
【００４９】
前述のような本発明のチューブ型太陽熱温風器は、比較的軽い材質で形成されるので、室内での使用が可能であり、特にアパートのような多世帯住宅でも容易に使用することができ、エネルギーおよび暖房にかかる費用を節減することができる。
【００５０】
また、未使用時にはチューブの空気を抜いた後、畳んで保管できるので、夏期のような温風器未使用期間には保管が容易となる。
【００５１】
したがって設置および撤去が容易であるため、住宅だけでなく一般の事務室、食堂などの多様な場所で使用が可能となる。
【００５２】
以上で説明された本発明のチューブ型太陽熱温風器の実施例は例示的なものに過ぎなく、本発明の属した技術分野の通常の知識を有した者であれば、これから多様な変形および均等な他の実施例が可能であることは自明である。
【００５３】
したがって、本発明は前記の詳細な説明において言及された形態にのみ限定されるものではないことは明らかである。したがって本発明の真の技術的保護範囲は添付された特許請求の範囲の技術的思想によって定められるべきである。また、本発明は添付された請求範囲によって定義される本発明の精神とその範囲内にあるすべての変形物と均等物および代替物を含むものと理解されるべきである。
【図２】
2016524116.tif 000003
【図３】
2016524116.tif 000004
【図４】
2016524116.tif 000005
【図５】
2016524116.tif 000006
【図６】
2016524116.tif 000007
【図１】
2016524116.tif 000008
【国際調査報告】
2016524116.tif 000009
2016524116.tif 000010
2016524116.tif 000011
2016524116.tif 000012